(57)【特許請求の範囲】
【請求項１】
移動体の被取付部に取り外し可能に係止されて、この移動体の状況を表示する計器ユニットにおいて、
前記被取付部の孔内に通されて前記孔内に係止する爪部を備え、
前記爪部が、
基端側から突出した枠部と、
係止状態と係止解除状態とに亘って弾性変形自在に設けられた弾性アームと、
前記弾性アームが前記係止状態のときに前記孔内に係止して前記計器ユニットの移動を規制し、かつ、前記弾性アームが前記係止解除状態のときに前記孔内への係止を解除して前記計器ユニットの移動規制を解除するように、前記弾性アームから凸に設けられた係止突起と、
前記弾性アームに連なり、前記弾性アームを前記係止状態と前記係止解除状態とに亘って弾性変形させる係止解除部と、を備え、
前記枠部は、前記係止突起の突出反対方向側に設けられて前記弾性アームと対向する壁部と、
前記壁部から前記係止突起の突出方向側に立設して前記弾性アームを互いの間に位置付ける一対の立設部と、でコ字状に形成され、
前記各立設部の突出方向側の縁よりも、前記弾性アームが没する位置に設けられ、
前記各立設部の突出方向に沿う寸法は、前記枠部の前記基端側において、前記被取付部の前記孔の内寸法よりも大きく形成されたことを特徴とする計器ユニット。
【請求項２】
前記係止突起が、前記計器ユニットと前記被取付部とが互いに接離する方向に対して直交するように設けられ、かつ、前記孔内に係止したときに前記孔の縁部と当接する当接面を備えたことを特徴とする請求項１に記載の計器ユニット。
【請求項３】
前記係止解除部が、前記係止突起の突出する方向と反対方向に押圧されることで前記弾性アームを前記係止状態から前記係止解除状態へと弾性変形させるように設けられたことを特徴とする請求項１または請求項２に記載の計器ユニット。
【請求項４】
前記係止解除部の近傍には、前記計器ユニットと前記被取付部とが互いに接離する方向と直交する平板状の座部を備え、
該座部は、前記係止解除部よりも前記計器ユニットが前記被取付部から離れる方向側に設けられていることを特徴とする請求項１乃至請求項３のうちいずれか一項記載の計器ユニット。
【請求項５】
前記爪部が、前記孔内に圧入されて前記係止突起が前記孔内に係止することを特徴とする請求項２ないし請求項４のうちいずれか一項に記載の計器ユニット。
【発明の詳細な説明】
【技術分野】
【０００１】
本発明は、移動体の被取付部に取り外し可能に係止されて、この移動体の状況を表示する計器ユニットに関する。
【背景技術】
【０００２】
自動車等の移動体には、各種の計測手段が計測した移動体の状況を移動体の乗員に対して表示する計器ユニットが搭載されている（例えば、特許文献１参照）。このような計器ユニットは、表示計器と、表示計器を収容したケースとを少なくとも備えている。表示計器は、例えば、タコメータ、スピードメータ、テンパラチャゲージやフューエルゲージ等から構成されている。ケースは、該ケースの外方向に突出した突出片を複数備えている。これら突出片には、それぞれ、ねじ孔が設けられている。
【０００３】
前述した計器ユニットは、自動車のインストルメントパネル（以下、単にパネルという）に取り付けられる。パネルの前述したねじ孔に対応する位置には、例えば取付孔が設けられている。計器ユニットをパネルに取り付ける際には、計器ユニットをパネルに重ね合わせ、計器ユニットのねじ孔とパネルの取付孔とを連通させる。そして、これら連通したねじ孔、取付孔内に計器ユニット側からボルトやスクリューねじをねじ込んで、計器ユニットをパネルに取り付ける。
【特許文献１】特開２００７−５１９３８号公報
【発明の開示】
【発明が解決しようとする課題】
【０００４】
しかしながら、前述したように計器ユニットをパネルに取り付けると、複数のねじ孔（取付孔）内にボルトやスクリューねじをねじ込む必要があるので、作業工程数が多くなり作業性が悪いといった問題があった。また、メンテナンス時等に計器ユニットを取り外す際にも同様の問題があった。また、ボルトやスクリューねじ等の部品数が多く、コストが高騰するといった問題があった。
【０００５】
本発明は、このような問題を解決することを目的としている。即ち、本発明は、被取付部に簡単かつ確実に取り外し可能に係止できる計器ユニットを提供することを目的としている。
【課題を解決するための手段】
【０００６】
前記課題を解決し目的を達成するために、請求項１に記載された発明は、移動体の被取付部に取り外し可能に係止されて、この移動体の状況を表示する計器ユニットにおいて、
前記被取付部の孔内に通されて前記孔内に係止する爪部を備え、前記爪部が、基端側から突出した枠部と、係止状態と係止解除状態とに亘って弾性変形自在に設けられた弾性アームと、前記弾性アームが前記係止状態のときに前記孔内に係止して前記計器ユニットの移動を規制し、かつ、前記弾性アームが前記係止解除状態のときに前記孔内への係止を解除して前記計器ユニットの移動規制を解除するように、前記弾性アームから凸に設けられた係止突起と、前記弾性アームに連なり、前記弾性アームを前記係止状態と前記係止解除状態とに亘って弾性変形させる係止解除部と、を備え、前記枠部は、前記係止突起の突出反対方向側に設けられて前記弾性アームと対向する壁部と、前記壁部から前記係止突起の突出方向側に立設して前記弾性アームを互いの間に位置付ける一対の立設部と、でコ字状に形成され、前記各立設部の突出方向側の縁よりも、前記弾性アームが没する位置に設けられ、前記各立設部の突出方向に沿う寸法は、前記枠部の前記基端側において、前記被取付部の前記孔の内寸法よりも大きく形成されたことを特徴とする計器ユニットである。
【０００７】
請求項２に記載された発明は、請求項１に記載された計器ユニットにおいて、前記係止突起が、前記計器ユニットと前記被取付部とが互いに接離する方向に対して直交するように設けられ、かつ、前記孔内に係止したときに前記孔の縁部と当接する当接面を備えたことを特徴とした計器ユニットである。
【０００８】
請求項３に記載された発明は、請求項１または請求項２に記載された計器ユニットにおいて、前記係止解除部が、前記係止突起の突出する方向と反対方向に押圧されることで前記弾性アームを前記係止状態から前記係止解除状態へと弾性変形させるように設けられたことを特徴とした計器ユニットである。
【０００９】
前記係止解除部の近傍には、前記計器ユニットと前記被取付部とが互いに接離する方向と直交する平板状の座部を備え、該座部は、前記係止解除部よりも前記計器ユニットが前記被取付部から離れる方向側に設けられていることを特徴とした計器ユニットである。
【００１０】
請求項５に記載された発明は、請求項２ないし請求項４のうちいずれか一項に記載された計器ユニットにおいて、前記爪部が、前記孔内に圧入されて前記係止突起が前記孔内に係止することを特徴とした計器ユニットである。
【発明の効果】
【００１１】
請求項１に記載された発明によれば、被取付部の孔内に通されて該孔内に係止する爪部を備えているので、計器ユニットをボルトやスクリューねじ等によって固定する必要がない。したがって、取り付け時の作業工程数を減少させて作業性を向上させ、計器ユニットを簡単に被取付部に取り付けることができる。また、部品数を減少させてコストを低減できる。
【００１２】
また、爪部が、弾性アームと該弾性アームが係止状態のときに孔内に係止する係止突起とを備えているので、計器ユニットと被取付部とを相対的に引き離すと、孔内に係止した係止突起が計器ユニットの移動を規制する。したがって、例えば移動体の走行時等に計器ユニットが振動したり被取付部から引き離される方向の力を受けたりしても、不用意に係止突起の孔内への係止が解除されることがなく、計器ユニットを確実に被取付部に取り付けることができる。
【００１３】
さらに、弾性アームを係止状態と係止解除状態とに亘って弾性変形させる係止解除部を備えている。このため、計器ユニットを取り外す際には、係止突起の孔内への係止を解除して計器ユニットの移動規制を解除できる。したがって、計器ユニットを簡単に被取付部から取り外すことができる。
【００１４】
請求項２に記載された発明によれば、係止突起が、計器ユニットと被取付部とが互いに接離する方向に対して直交しかつ孔内に係止したときに孔の縁部と当接する当接面を備えているので、計器ユニットと被取付部とを相対的に引き離すと、当接面が孔の縁部と当接する。したがって、不用意に係止突起の孔内への係止が解除されることがなく、計器ユニットを確実に被取付部に取り付けることができる。
【００１５】
請求項３に記載された発明によれば、係止解除部が係止突起の突出する方向と反対方向に押圧されることで弾性アームを弾性変形させるので、例えばメンテナンス時等には簡単に係止突起の孔内への係止を解除して計器ユニットを被取付部から取り外すことができる。
【００１６】
請求項４に記載された発明によれば、係止解除部の近傍に突出した座部を備えているので、計器ユニットを被取付部から取り外す際に、作業者は座部に一方の手の一つの指を押し当てて他の指で係止解除部を作動させ、この状態で計器ユニットを引っ張ることができる。したがって、取り外し時の作業性を向上させて、計器ユニットを簡単に被取付部から取り外すことができる。
【００１７】
請求項５に記載された発明によれば、爪部が孔内に圧入されて係止突起が孔内に係止するので、爪部が孔内でがたつくことがなく、移動体の走行時の振動等によって異音が発生するのを防止できる。
【発明を実施するための最良の形態】
【００１８】
以下、本発明の一実施形態にかかる計器ユニットを図１ないし図８を参照して説明する。本発明の一実施形態にかかる計器ユニット１は、車両用コンビネーションメータである。計器ユニット１は、自動車等の移動体に搭載されて、移動体の乗員に対して移動体の状況を表示する。本実施形態において、計器ユニット１は、被取付部としてのインストルメントパネル（以下、単にパネルという）２に取り付けられて、取り外し可能に係止される。
【００１９】
パネル２は、合成樹脂等で構成されている。パネル２は、自動車の車体等に固定される。パネル２は、図１に示すように、立壁部２１と、立壁部２１から立設した一対の側壁部２２とを備えている。計器ユニット１は、立壁部２１と側壁部２２とによって形成される凹部２３内に位置付けられる。立壁部２１は、孔２４ａ、２４ｂを複数備えている。
【００２０】
孔２４ａ、２４ｂは、計器ユニット１とパネル２とが互いに接離する（近づいたり離れたりする）方向Ａに沿って形成されている。本実施形態では、孔２４ａと孔２４ｂとは、それぞれ２つずつ設けられている。孔２４ａは計器ユニット１の後述する第１の爪部４を内部に通し、孔２４ｂは第２の爪部５を内部に通す。
【００２１】
孔２４ａの縁部には、立壁部２１の外表面から突出した突部２５が設けられている。突部２５には、テーパ面２５ａ（図３等）が設けられている。テーパ面２５ａは、突部２５の孔２４ａ寄りの端部に設けられている。テーパ面２５ａは、孔２４ａに近づくにしたがって徐々に立壁部２１の外表面に近づくように傾斜している。
【００２２】
計器ユニット１は、図１に示すように、表示計器１１と、ケース３と、見返し部材１３と、透明カバー（図示せず）等を備えている。表示計器１１は、エンジンの回転数を表示するタコメータ１１ａと、車両の速度を表示するスピードメータ１１ｂと、エンジンの冷却水の温度を表示するテンパラチャゲージ１１ｃと、燃料の残量を表示するフューエルゲージ１１ｄとから構成されている。これらタコメータ１１ａ、スピードメータ１１ｂ、テンパラチャゲージ１１ｃ及びフューエルゲージ１１ｄは互いに略同等の構造であるので、タコメータ１１ａを代表して説明する。
【００２３】
タコメータ１１ａは、ムーブメント（図示せず）と、目盛板１５ａと、指針１６ａ等によって構成されている。ムーブメントは、車両に搭載されたエンジン回転数計測手段（図示せず）と接続されている。ムーブメントは、このエンジン回転数計測手段が計測した計測量等に応じて回転する出力軸を備えている。
【００２４】
目盛板１５ａは、透光性の合成樹脂等で構成され、平板状に形成されている。目盛板１５ａの乗員と相対する外表面には遮光層が形成され、この遮光層の一部が除去されることで、前記外表面にはエンジン回転数表示用の目盛が形成されている。なお、本実施形態では、タコメータ１１ａ、スピードメータ１１ｂ、テンパラチャゲージ１１ｃ及びフューエルゲージ１１ｄそれぞれの目盛板１５ａ、１５ｂ、１５ｃ、１５ｄは、一体に形成されている。
【００２５】
指針１６ａは、透光性の合成樹脂等で構成されている。指針１６ａは、回転中心となる基端部と、該基端部から直線状に延びて目盛板１５ａ上の目盛を指示する指示部とを備えている。指針１６ａは、基端部が目盛板１５ａの中央に位置した状態でムーブメントの出力軸に取り付けられ、該出力軸と一体となって回転する。指針１６ａは、エンジン回転数計測手段が計測した計測量に応じてムーブメントによって回転され、前記目盛と協働して計測量を表示する。
【００２６】
ケース３は、硬質の合成樹脂等で構成されている。ケース３は、図２に示すように、表ケース３１と、裏ケース３２とを備えている。
【００２７】
表ケース３１は、平板部と、この平板部の周縁から立設した周壁部３４とを備え、乗員から離れる方向に開口した箱状に形成されている。平板部の乗員と相対する外表面には、目盛板１５ａ、１５ｂ、１５ｃ、１５ｄが取り付けられる。平板部には、ムーブメントの出力軸を内部に通す貫通孔と、目盛板１５ａ、１５ｂ、１５ｃ、１５ｄや指針１６ａ、１６ｂ、１６ｃ、１６ｄ用の光源としてのＬＥＤからの光を内部に通す貫通孔とが複数設けられている。周壁部３４には、表ケース３１の外方向に突出し、後述する爪部４、５がそれぞれ連なる台部３７、３８から複数設けられている。
【００２８】
裏ケース３２は、平板部３５と、平板部３５の周縁から立設した周壁部３６とを備え、乗員と相対する方向に開口した箱状に形成されている。裏ケース３２の周壁部３６が表ケース３１の周壁部３４に取り付けられて、ケース３が組み立てられる。ケース３は、内部にプリント配線板を収容する。プリント配線板には、前述したムーブメント、目盛板１５ａ、１５ｂ、１５ｃ、１５ｄや指針１６ａ、１６ｂ、１６ｃ、１６ｄ用の光源としてのＬＥＤや、これらムーブメント及びＬＥＤ等の動作を制御するためのマイコン等の電子部品等が実装されている。
【００２９】
見返し部材１３は、図１に示すように、目盛板１５ａ、１５ｂ、１５ｃ、１５ｄの乗員と相対する側に配されている。見返し部材１３は、表ケース３１との間に目盛板１５ａ、１５ｂ、１５ｃ、１５ｄを挟んだ状態で、表ケース３１の乗員と相対する側に取り付けられている。見返し部材１３には、目盛板１５ａ、１５ｂ、１５ｃ、１５ｄの目盛を乗員に対して露出させる複数の露出窓が形成されている。見返し部材１３は、タコメータ１１ａ、スピードメータ１１ｂ、テンパラチャゲージ１１ｃ及びフューエルゲージ１１ｄ等の表示部分以外を乗員に対して遮蔽する。
【００３０】
透明カバーは、透明性を有した合成樹脂等で構成されている。透明カバーは、見返し部材１３の乗員と相対する側に取り付けられている。透明カバーは、見返し部材１３の開口を覆って、計器ユニット１内へ埃等が侵入するのを防止する。
【００３１】
前述した計器ユニット１は、さらに、図２に示すように、爪部４、５と、座部７とを備えている。爪部４、５は、複数設けられ、前述したパネル２の４つの孔２４ａ、２４ｂに対応してそれぞれ２つずつ設けられている。これら爪部４、５は、略矩形状のケース３の四隅に設けられている。爪部４、５は、第１の爪部４と、第２の爪部５とを備えている。なお、第１の爪部４は、特許請求の範囲に記載した「爪部」に相当する。
【００３２】
第１の爪部４は、ケース３の図２中の上側に２つ設けられている。第１の爪部４は、パネル２の孔２４ａ内に通されてこの孔２４ａ内に係止する。第１の爪部４は、図２及び図３に示すように、枠部４１と、弾性アーム４２と、係止突起４３と、係止解除部６とを備えている。なお、図３は、図２中の左側の第１の爪部４を上方から見た上面図である。
【００３３】
枠部４１は、前述した表ケース３１の台部３７に連なり、台部３７からパネル２に向かって（乗員から離れる方向に）突出している。枠部４１は、コ字状に形成され、両端が台部３７に連なっている。枠部４１の水平方向Ｈの厚さは、図３に示すように、先端にいくにしたがって徐々に薄くなるように形成されている。
【００３４】
さらに、枠部４１の基端側の水平方向Ｈの厚さは、パネル２の孔２４ａの水平方向Ｈの幅よりも僅かに厚く形成されている。本実施形態では、枠部４１の基端側の前記厚さは８．２ｍｍとされ、孔２４ａの前記幅は８．０ｍｍとされている。このため、枠部４１即ち第１の爪部４は孔２４ａ内に圧入されることになり、その外表面が孔２４ａの内面と接触する。そして、第１の爪部４は、孔２４ａとの間に摩擦力を生じる。枠部４１は、特に第１の爪部４が水平方向Ｈにがたつくのを防止する。
【００３５】
弾性アーム４２は、図３に示すように、枠部４１内に配されている。弾性アーム４２は、前記接離する方向Ａに沿って設けられ、枠部４１の先端からパネル２から離れる方向に延びている。弾性アーム４２は、基端側が枠部４１に連なり、先端側が自由端である片持ちアーム状に形成されている。弾性アーム４２は、ケース３の長手方向中央（図３中、左側）に近づくように弾性変形自在に設けられている。
【００３６】
前述した弾性アーム４２は、係止状態と係止解除状態とに亘って弾性変形自在に設けられている。係止状態とは、図５に示すように、パネル２の孔２４ａ内に通された弾性アーム４２の弾性変形していない状態である。また、係止解除状態とは、係止突起４３が孔２４ａの縁部を乗り越えるときの弾性アーム４２の弾性変形した状態である（図４よりも弾性変形した状態）。
【００３７】
係止突起４３は、弾性アーム４２の中央から凸に設けられ、ケース３の長手方向両端に向かって突出している。係止突起４３の先端は、図３に示すように、枠部４１内から突出している。係止突起４３は、図３ないし図５に示すように、テーパ面４３ａと、当接面４３ｂとを備えている。
【００３８】
テーパ面４３ａは、係止突起４３のパネル２と相対する端部に設けられている。テーパ面４３ａは、パネル２に近づくにしたがって徐々に弾性アーム４２の外表面に近づくように傾斜している。テーパ面４３ａは、図４に示すように、計器ユニット１をパネル２に取り付ける際に、パネル２の孔２４ａの縁部と接触して弾性アーム４２を弾性変形させる。
【００３９】
当接面４３ｂは、係止突起４３のパネル２から離れた端部に設けられている。当接面４３ｂは、計器ユニット１とパネル２とが互いに接離する方向Ａ（図１、図３）に対して直交している。当接面４３ｂは、第１の爪部４がパネル２の孔２４ａ内に係止すると、孔２４ａの縁部と当接する。
【００４０】
前述した係止突起４３は、図５に示すように弾性アーム４２が前述した係止状態のときはパネル２の孔２４ａ内に係止する。パネル２に取り付けられた計器ユニット１をパネル２から引き離すと、当接面４３ｂが前記接離する方向Ａに沿って孔２４ａの縁部と当接する。そして、係止突起４３は、孔２４ａ内に係止した状態を維持し、計器ユニット１の移動を規制する。また、係止突起４３は、弾性アーム４２が前述した係止解除状態のときには孔２４ａ内への係止を解除する。そして、パネル２に取り付けられた計器ユニット１をパネル２から引き離すと、係止突起４３は孔２４ａ内から抜け出て、計器ユニット１の移動規制を解除する。
【００４１】
係止解除部６は、図３ないし図５及び図８に示すように、第１の爪部４の弾性アーム４２に連なっている。係止解除部６は、２つの第１の爪部４のそれぞれに設けられている。係止解除部６は、弾性アーム４２を前述した係止状態と係止解除状態とに亘って弾性変形させる。係止解除部６は、弾性アーム４２に連なる連結部６１と、連結部６１に連なる操作部６２と、これら連結部６１と操作部６２とに連なる補強部６３とを備えている。
【００４２】
連結部６１は、帯板状に形成されている。連結部６１は、弾性アーム４２の先端に連なり、該先端からケース３の外方向に延びている。操作部６２は、連結部６１よりも短い帯板状に形成されている。操作部６２は、連結部６１の先端に連なり、該先端から弾性アーム４２と平行な方向に延びている。補強部６３は、平板状に形成されている。弾性アーム４２の先端側と連結部６１と操作部６２とは、補強部６３から立設している。
【００４３】
前述した係止解除部６は、作業者が操作部６２を矢印Ｓ方向（図５及び図８）にすることで、弾性アーム４２を係止状態から係止解除状態へと弾性変形させる。これによって、係止突起４３の孔２４ａ内への係止を解除して、当接面４３ｂが孔２４ａの縁部と当接するのを解除する。なお、矢印Ｓ方向は、係止突起４３の突出する方向と反対方向Ｓとされている。
【００４４】
第２の爪部５は、ケース３の図２中の下側に２つ設けられている。第２の爪部５は、パネル２の孔２４ｂ内に通されてこの孔２４ｂ内に係止する。第２の爪部５は、図６及び図７に示すように、枠部５１と、弾性アーム５２と、係止突起５３とを備えている。なお、図６は図２中の第２の爪部５を下方から見た下面図であり、図７は図２中の第２の爪部５を側方から見た側面図である。
【００４５】
枠部５１は、前述した表ケース３１の台部３８に連なり、台部３８からパネル２に向かって突出している。枠部５１は、コ字状に形成され、両端が台部３８に連なっている。枠部５１の鉛直方向Ｖの厚さは、図７に示すように、先端にいくにしたがって徐々に薄くなるように形成されている。
【００４６】
さらに、枠部５１の基端側の鉛直方向Ｖの厚さは、パネル２の孔２４ｂの鉛直方向Ｖの幅よりも僅かに薄く形成されている。本実施形態では、枠部５１の基端側の前記厚さは７．９ｍｍとされ、孔２４ｂの前記幅は８．０ｍｍとされている。
【００４７】
弾性アーム５２は、図６及び図７に示すように、枠部５１内に配されている。弾性アーム５２は、一端側が枠部５１の先端に連なり、他端側が台部３８に連なる両持ちアーム状に形成されている。弾性アーム５２は、前記接離する方向Ａに沿って設けられている。弾性アーム５２は、ケース３の内方向に弾性変形自在に設けられている。
【００４８】
前述した弾性アーム５２は、係止状態と係止解除状態とに亘って弾性変形自在に設けられている。係止状態とは、パネル２の孔２４ｂ内に通された弾性アーム５２の弾性変形していない状態である。また、係止解除状態とは、係止突起５３が孔２４ｂの縁部を乗り越えるときの弾性アーム５２の弾性変形した状態である。
【００４９】
係止突起５３は、弾性アーム５２の中央から凸に設けられ、ケース３の外方向に突出している。係止突起５３の先端は、図７に示すように、枠部５１内から突出している。係止突起５３は、第１のテーパ面５３ａと、第２のテーパ面５３ｂとを備えている。
【００５０】
第１のテーパ面５３ａは、係止突起５３のパネル２と相対する側（図６及び図７中、上方）の端部に設けられている。第１のテーパ面５３ａは、パネル２に近づくにしたがって徐々に弾性アーム５２の外表面に近づくように傾斜している。第１のテーパ面５３ａは、計器ユニット１をパネル２に取り付ける際に、パネル２の孔２４ｂの縁部と接触して弾性アーム５２を弾性変形させる。
【００５１】
第２のテーパ面５３ｂは、係止突起５３のパネル２から離れた端部に設けられている。第２のテーパ面５３ｂは、パネル２から離れるにしたがって徐々に弾性アーム５２の外表面に近づくように傾斜している。第２のテーパ面５３ｂは、第１のテーパ面５３ａよりも弾性アーム５２の外表面に対して急角度に形成されている。第２のテーパ面５３ｂは、計器ユニット１をパネル２から取り外す際に、パネル２の孔２４ｂの縁部と接触して弾性アーム５２を弾性変形させる。
【００５２】
前述した係止突起５３は、弾性アーム５２が前述した係止状態のときはパネル２の孔２４ｂ内に係止する。また、係止突起５３は、パネル２に取り付けられた計器ユニット１をパネル２から引き離すと、弾性アーム５２が前述した係止解除状態になって孔２４ｂ内への係止を解除する。
【００５３】
座部７は、図８に示すように、表ケース３１の台部３７から突出して設けられ、２つの係止解除部６のそれぞれの近傍に突出している。座部７は、平板状に形成され、前記接離する方向Ａと直交するように配されている。座部７の乗員と相対する外表面は、座面７１とされている。
【００５４】
前述した座部７は、計器ユニット１をパネル２から取り外す際に、例えば作業者の親指が座面７１上に押し当てられる。そして、人差し指が係止解除部６の操作部６２を押圧し、この状態で計器ユニット１を引っ張ってパネル２から引き離す。これによって、１つの第１の爪部４において、係止突起４３の孔２４ａ内への係止を解除する工程と、係止突起４３を孔２４ａ内から引き抜く（計器ユニット１をパネル２から引き離す）工程とを片手で行うことができる。
【００５５】
前述した構成の計器ユニット１をパネル２に取り付ける際には、まず、図１に示すように計器ユニット１とパネル２とを相対させ、これらを矢印Ａ方向に沿って互いに近づけていく。そして、まず、ケース３下側の第２の爪部５をパネル２の孔２４ｂ内に係止させる。即ち、押圧面３８ａを押して第２の爪部５を孔２４ｂ内に挿入（圧入）していく。すると、第２の爪部５の係止突起５３の第１のテーパ面５３ａが孔２４ｂの縁部に接触する。さらに第２の爪部５を孔２４ｂ内に挿入（圧入）していくと、第１のテーパ面５３ａが孔２４ｂの縁部に押圧されて弾性アーム５２が弾性変形し、係止突起５３が孔２４ｂの縁部を乗り越える。その後、弾性復元力によって弾性アーム５２が弾性復元し、第２の爪部５が孔２４ｂ内に係止する。
【００５６】
次いで、ケース３上側の第１の爪部４をパネル２の孔２４ａ内に係止させる。即ち、座面７１を押して第１の爪部４を孔２４ａ内に挿入（圧入）していく。すると、第１の爪部４の係止突起４３のテーパ面４３ａが孔２４ａの縁部に接触する。さらに第１の爪部４を孔２４ａ内に挿入（圧入）していくと、テーパ面４３ａが孔２４ａの縁部に押圧されて弾性アーム４２が弾性変形していき（図４）、係止突起４３が孔２４ａの縁部を乗り越える。その後、弾性復元力によって弾性アーム４２が弾性復元し、第１の爪部４が孔２４ａ内に係止して（図５）、計器ユニット１が取り付けられる。
【００５７】
計器ユニット１をパネル２から取り外す際には、まず、第１の爪部４の孔２４ａ内への係止を解除する。このとき、作業者は、一方の手の親指を一方の座面７１に押し当てながら、一方の手の人差し指で一方の係止解除部６の操作部６２を押圧する。また、同様に、他方の手の親指を他方の座面７１に押し当てながら、他方の手の人差し指で他方の係止解除部６の操作部６２を押圧する。そして、この状態のまま、計器ユニット１をパネル２から引っ張って、第１の爪部４を孔２４ａ内から引き抜く。
【００５８】
次いで、第２の爪部５の孔２４ｂ内への係止を解除する。計器ユニット１の下側を引っ張ると、第２の爪部５の係止突起５３の第２のテーパ面５３ｂが孔２４ｂの縁部に接触する。さらに計器ユニット１を引っ張ると、第２のテーパ面５３ｂが孔２４ｂの縁部に押圧されて弾性アーム５２が弾性変形し、係止突起５３が孔２４ｂの縁部を乗り越える。以上のように、第２の爪部５を孔２４ｂ内から引き抜いて、計器ユニット１を取り外す。
【００５９】
本実施形態によれば、パネル２の孔２４ａ内に通されてこの孔２４ａ内に係止する第１の爪部４を備えているので、計器ユニット１をボルトやスクリューねじ等によって固定する必要がない。したがって、取り付け時の作業工程数を減少させて作業性を向上させ、計器ユニット１を簡単にパネル２に取り付けることができる。また、部品数を減少させてコストを低減できる。
【００６０】
また、第１の爪部４が、弾性アーム４２と該弾性アーム４２が係止状態のときに孔２４ａ内に係止する係止突起４３とを備えている。このため、計器ユニット１とパネル２とを相対的に引き離すと、孔２４ａ内に係止した係止突起４３が計器ユニット１の移動を規制する。したがって、例えば移動体の走行時等に計器ユニット１が振動したりパネル２から引き離される方向の力を受けたりしても、不用意に係止突起４３の孔２４ａ内への係止が解除されることがなく、計器ユニット１を確実にパネル２に取り付けることができる。
【００６１】
さらに、弾性アーム４２を係止状態と係止解除状態とに亘って弾性変形させる係止解除部６を備えている。このため、計器ユニット１を取り外す際には、係止突起４３の孔２４ａ内への係止を解除して計器ユニット１の移動規制を解除できる。したがって、計器ユニット１を簡単にパネル２から取り外すことができる。
【００６２】
係止突起４３が、計器ユニット１とパネル２とが前記接離する方向Ａに対して直交しかつ孔２４ａ内に係止したときに孔２４ａの縁部と当接する当接面４３ｂを備えているので、計器ユニット１とパネル２とを相対的に引き離すと、当接面４３ｂが孔２４ａの縁部と当接する。したがって、不用意に係止突起４３の孔２４ａ内への係止が解除されることがなく、計器ユニット１を確実にパネル２に取り付けることができる。
【００６３】
係止解除部６が係止突起４３の突出する方向と反対方向Ｓに押圧されることで弾性アーム４２を弾性変形させるので、例えばメンテナンス時等には簡単に係止突起４３の孔２４ａ内への係止を解除して計器ユニット１をパネル２から取り外すことができる。
【００６４】
係止解除部６の近傍に突出した座部７を備えているので、計器ユニット１をパネル２から取り外す際に、作業者は座部７に一方の手の一つの指を押し当て他の指で係止解除部６を作動させ、この状態で計器ユニット１を引っ張ることができる。したがって、取り外し時の作業性を向上させて、計器ユニット１を簡単にパネル２から取り外すことができる。
【００６５】
第１の爪部４が孔２４ａに圧入されて係止突起４３が孔２４ａ内に係止するので、第１の爪部４が孔２４ａ内でがたつくことがなく、移動体の走行時の振動等によって異音が発生するのを防止できる。また、計器ユニット１がパネル２から引き離される方向の力を受けると、第１の爪部４と孔２４ａとの間に前述した摩擦力が生じて、計器ユニット１が動き始めようとする際の力を効果的に抑止できる。
【００６６】
本実施形態においては、計器ユニット１が、表示計器１１（即ちタコメータ１１ａ、スピードメータ１１ｂ、テンパラチャゲージ１１ｃ及びフューエルゲージ１１ｄ）とケース３とを備え、ケース３に爪部４、５が設けられていた。しかしながら、例えば、計器ユニットとしてのタコメータ１１ａに、直接第１の爪部５が設けられていてもよい。
【００６７】
また、本実施形態においては、第１の爪部４を２つ、第２の爪部５を２つ備えていたが、第１の爪部４を少なくとも１つ備えていれば、これら爪部４、５の数は何ら限定されるものではない。
【００６８】
また、本実施形態においては、第１の爪部４と第２の爪部５とがケース３の四隅に設けられ、第１の爪部４がケース３の上側に、第２の爪部５がケース３の下側に設けられていたが、これら爪部４、５の位置は何ら限定されるものではない。なお、第１の爪部４が計器ユニット１の重心寄りに設けられていると、パネル２に取り付けられた計器ユニット１が安定して好ましい。
【００６９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７０】
【図１】本発明の一実施形態にかかる計器ユニットとパネルとを示す斜視図である。
【図２】図１に示された計器ユニットの別方向からの斜視図である。
【図３】図２に示された第１の爪部と孔の近傍とを示す上面（一部断面）図である。
【図４】図３に示された弾性アームが係止解除状態になりつつあるときを示す上面（一部断面）図である。
【図５】図４示された弾性アームが係止状態にあるときを示す上面（一部断面）図である。
【図６】図２に示された第２の爪部の下面図である。
【図７】図６に示された第２の爪部の側面図である。
【図８】図１に示された係止解除部と座部とを拡大して示す斜視図である。
【符号の説明】
【００７１】
１    計器ユニット
２    （インストルメント）パネル（被取付部）
３    ケース
４    第１の爪部（爪部）
６    係止解除部
７    座部
２４ａ、２４ｂ    孔
４２    弾性アーム
４３    係止突起
４３ｂ    当接面
Ａ    接離する方向
Ｓ    突出する方向と反対方向
【図１】
0005297680.tif 000002
【図２】
0005297680.tif 000003
【図３】
0005297680.tif 000004
【図４】
0005297680.tif 000005
【図５】
0005297680.tif 000006
【図６】
0005297680.tif 000007
【図７】
0005297680.tif 000008
【図８】
0005297680.tif 000009